(57)【要約】【課題】組立作業が容易で、組立て方のバリエーションが豊富な組立て式収納ボックスを提供する。【解決手段】開口端から縮径端へ向かうにつれて内径が徐々に小さくなる錐状を呈すると共に、隣接する２つの斜辺が夫々連結することにより収納空間が構成され、前記縮径端の近傍に少なくとも１つの係合溝が形成される複数の側板と、前記開口端から縮径端へ向かって延出するように設けられ、少なくとも一対の雄係合部と雌係合部が設けられる複数の外側面を有する多角形の周壁とからなるケーシングと、対応する側板に当接されると共に、対応する前記係合溝に係合される少なくとも１つの係合ピンが設けられる複数の固定面と、前記周壁における、対応する外側面と同一平面に位置し、少なくとも一対の雄係合部と雌係合部が設けられる複数の外側平面とを有する、前記ケーシングの縮径端に取り付けられる枠体とを具備する少なくとも１つのボックスユニットと、を備える。【選択図】  図１
0003159669.tif 000002
【実用新案登録請求の範囲】
【請求項１】
開口端(４１１)から縮径端(４１２)へ向かうにつれて内径が徐々に小さくなる錐状を呈すると共に、隣接する２つの斜辺が夫々連結することにより収納空間が構成され、前記縮径端(４１２)の近傍に少なくとも１つの係合溝(４４)が形成される複数の側板(４１)と、前記開口端(４１１)から縮径端(４１２)へ向かって延出するように設けられ、少なくとも一対の雄係合部と雌係合部が設けられる複数の外側面(４２１)を有する多角形の周壁(４２)とからなるケーシング(４０)と、
対応する側板(４１)に当接されると共に、対応する前記係合溝(４４)に係合される少なくとも１つの係合ピン(５２)が設けられる複数の固定面(５１)と、前記周壁(４２)における、対応する外側面(４２１)と同一平面に位置し、少なくとも一対の雄係合部と雌係合部が設けられる複数の外側平面(５３)とを有する、前記ケーシング(４０)の縮径端(４１２)に取り付けられる枠体(５０)とを具備する少なくとも１つのボックスユニット(１０)と、
を備えることを特徴とする組立て式収納ボックス。
【請求項２】
前記ケーシング(４０)における複数の側板(４１)の内、少なくとも１つの側板(４１)は、傾斜せずに、夫々対応する前記周壁(４２)の外側面(４２１)と平行することを特徴とする請求項１に記載の組立て式収納ボックス。
【請求項３】
更に前記ケーシング(４０)に取り付けられる複数のカバー板(２０)を備え、該各カバー板(２０)は、内側面における前端部及び後端部の近傍に夫々少なくとも一対の雄係合部と雌係合部が設けられる本体(２１)を有し、該前端部の近傍に設けられる雄係合部と雌係合部は夫々、前記周壁(４２)の外側面(４２１)における、対応する雌係合部と雄係合部に係合されると共に、該後端部の近傍に設けられる雄係合部と雌係合部は夫々、前記枠体(５０)の外側平面(５３)における対応する雌係合部と雄係合部に係合されることを特徴とする請求項１に記載の組立て式収納ボックス。
【請求項４】
更に前記ケーシング(４０)に取り付けられる複数の装飾板(３０)を備え、該各装飾板(３０)は、複数の穴(３２)が穿設されると共に、内側面における前端部及び後端部の近傍に夫々少なくとも一対の雄係合部と雌係合部が設けられる基板(３１)を有し、該前端部の近傍に設けられる雄係合部と雌係合部は夫々、前記周壁(４２)の外側面(４２１)における対応する雌係合部と雄係合部に係合されると共に、該後端部の近傍に設けられる雄係合部と雌係合部は夫々、前記枠体(５０)の外側平面(５３)における対応する雌係合部と雄係合部に係合されることを特徴とする請求項１に記載の組立て式収納ボックス。
【請求項５】
前記ボックスユニット(１０)におけるケーシング(４０)は、６つの側板(４１)から構成されると共に、前記枠体(５０)は六角形を呈し、該６つの側板(４１)に夫々当接する６つの固定面(５１)を有することを特徴とする請求項１ないし４の何れか一項に記載の組立て式収納ボックス。
【請求項６】
前記各ボックスユニット(１０)のケーシング(４０)における収容空間内には、両端がケーシング(４０)に連結される、収納空間を２つに分けるための仕切板(６０)が設けられることを特徴とする請求項１ないし５の何れか一項に記載の組立て式収納ボックス。
【請求項７】
前記複数のボックスユニット(１０)を有し、該各ボックスユニット(１０)は、ケーシング(４０)の周壁(４２)の外側面(４２１)における雄係合部と雌係合部が、隣接するボックスユニット(１０)のケーシング(４０)の周壁(４２)の外側面(４２１)における雌係合部と雄係合部に係合されるように、隣接するボックスユニット(１０)に固定されることを特徴とする請求項１ないし６の何れか一項に記載の組立て式収納ボックス。
【考案の詳細な説明】
【技術分野】
【０００１】
本考案は、特に組立て自在な組立て式収納ボックスに関するものである。
【背景技術】
【０００２】
組立て式収納家具は、製造が容易であり体積が小さいだけでなく、組立てや分解作業も容易に行うことができ、更には、持ち運びや収納も非常に便利であるので、家庭においては、物を片つけるための家具として広く用いられている。
【考案の概要】
【考案が解決しようとする課題】
【０００３】
しかしながら、従来の収納家具は、デザインが単調であり、バリエーションやユーモア性に乏しく、家庭空間を装飾する効果が低い。また、従来の収納家具の殆どは、複数の矩形板を連結させて組立てられた立方体の箱に、更に複数の仕切板(６０)を平行に設けることにより箱内の空間を幾つかに分割したものであり、該各板を連結させるためには、ビスなどの固定部材を使用しなければならないので、組立て作業が非常に面倒である。
【０００４】
そこで、案出されたのが本考案であって、組立て作業を容易に行うことができると共に、組立て方のバリエーションが豊富である組立て式収納ボックスを提供することを目的としている。
【課題を解決するための手段】
【０００５】
本願の請求項１の考案は、開口端(４１１)から縮径端(４１２)へ向かうにつれて内径が徐々に小さくなる錐状を呈すると共に、隣接する２つの斜辺が夫々連結することにより収納空間が構成され、前記縮径端(４１２)の近傍に少なくとも１つの係合溝(４４)が形成される複数の側板(４１)と、前記開口端(４１１)から縮径端(４１２)へ向かって延出するように設けられ、少なくとも一対の雄係合部と雌係合部が設けられる複数の外側面(４２１)を有する多角形の周壁(４２)とからなるケーシング(４０)と、
対応する側板(４１)に当接されると共に、対応する前記係合溝(４４)に係合される少なくとも１つの係合ピン(５２)が設けられる複数の固定面(５１)と、前記周壁(４２)における、対応する外側面(４２１)と同一平面に位置し、少なくとも一対の雄係合部と雌係合部が設けられる複数の外側平面(５３)とを有する、前記ケーシング(４０)の縮径端(４１２)に取り付けられる枠体(５０)とを具備する少なくとも１つのボックスユニット(１０)と、を備えることを特徴とする組立て式収納ボックス、を提供する。
【０００６】
本願の請求項２の考案は、前記ケーシング(４０)における複数の側板(４１)の内、少なくとも１つの側板(４１)は、傾斜せずに、夫々対応する前記周壁(４２)の外側面(４２１)と平行することを特徴とする請求項１に記載の組立て式収納ボックス、を提供する。
【０００７】
本願の請求項３の考案は、更に前記ケーシング(４０)に取り付けられる複数のカバー板(２０)を備え、該各カバー板(２０)は、内側面における前端部及び後端部の近傍に夫々少なくとも一対の雄係合部と雌係合部が設けられる本体(２１)を有し、該前端部の近傍に設けられる雄係合部と雌係合部は夫々、前記周壁(４２)の外側面(４２１)における、対応する雌係合部と雄係合部に係合されると共に、該後端部の近傍に設けられる雄係合部と雌係合部は夫々、前記枠体(５０)の外側平面(５３)における対応する雌係合部と雄係合部に係合されることを特徴とする請求項１に記載の組立て式収納ボックス、を提供する。
【０００８】
本願の請求項４の考案は、更に前記ケーシング(４０)に取り付けられる複数の装飾板(３０)を備え、該各装飾板(３０)は、複数の穴(３２)が穿設されると共に、内側面における前端部及び後端部の近傍に夫々少なくとも一対の雄係合部と雌係合部が設けられる基板(３１)を有し、該前端部の近傍に設けられる雄係合部と雌係合部は夫々、前記周壁(４２)の外側面(４２１)における対応する雌係合部と雄係合部に係合されると共に、該後端部の近傍に設けられる雄係合部と雌係合部は夫々、前記枠体(５０)の外側平面(５３)における対応する雌係合部と雄係合部に係合されることを特徴とする請求項１に記載の組立て式収納ボックス、を提供する。
【０００９】
本願の請求項５の考案は、前記ボックスユニット(１０)におけるケーシング(４０)は、６つの側板(４１)から構成されると共に、前記枠体(５０)は六角形を呈し、該６つの側板(４１)に夫々当接する６つの固定面(５１)を有することを特徴とする請求項１ないし４の何れか一項に記載の組立て式収納ボックス、を提供する。
【００１０】
本願の請求項６の考案は、前記各ボックスユニット(１０)のケーシング(４０)における収容空間内には、両端がケーシング(４０)に連結される、収納空間を２つに分けるための仕切板(６０)が設けられることを特徴とする請求項１ないし５の何れか一項に記載の組立て式収納ボックス、を提供する。
【００１１】
本願の請求項７の考案は、前記複数のボックスユニット(１０)を有し、該各ボックスユニット(１０)は、ケーシング(４０)の周壁(４２)の外側面(４２１)における雄係合部と雌係合部が、隣接するボックスユニット(１０)のケーシング(４０)の周壁(４２)の外側面(４２１)における雌係合部と雄係合部に係合されるように、隣接するボックスユニット(１０)に固定されることを特徴とする請求項１ないし６の何れか一項に記載の組立て式収納ボックス、を提供する。
【考案の効果】
【００１２】
本考案は上記の課題を解決するものであり、係合ピンを係合溝に係合することにより、枠体をケーシングに取り付けてボックスユニットを構成し、そしてボックスユニットにおける雄係合部と雌係合部を他のボックスユニットにおける雌係合部と雄係合部に係合してボックスユニットを拡充する構成であることから、使用者にとっては、組立てや分解作業を楽に行うことができると共に、需要や好みに応じてオリジナルの収納ボックスを作ることができるので、バリエーションが豊富である。また、生産側にとっては、本考案のケーシングが錐台状に形成されることから、射出成形法を用いれば、容易に離型することができるので、歩留まりを向上させることができる。
【図面の簡単な説明】
【００１３】
【図１】本考案に係る組立て式収納ボックスの分解斜視図である。
【図２】本考案に係る組立て式収納ボックスの部分分解斜視図である。
【図３】本考案に係る組立て式収納ボックスの斜視図である。
【図４】本考案に係る組立て式収納ボックスの部分斜視断面図である。
【図５】本考案に係る組立て式収納ボックスの側面視断面図である。
【図６】本考案に係る組立て式収納ボックスの正面視断面図である。
【図７】３つの本考案に係る組立て式収納ボックスを組立てた状態を示す正面図である。
【図８】６つの本考案に係る組立て式収納ボックスを組立てた状態を示す斜視図である。
【図９】図８の正面図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１は本考案に係る組立て式収納ボックスの分解斜視図であり、図２は本考案に係る組立て式収納ボックスの部分分解斜視図であり、図３は本考案に係る組立て式収納ボックスの斜視図であり、図４は本考案に係る組立て式収納ボックスの部分斜視断面図であり、図５は本考案に係る組立て式収納ボックスの側面視断面図であり、図６は本考案に係る組立て式収納ボックスの正面視断面図であり、図７は３つの本考案に係る組立て式収納ボックスを組立てた状態を示す正面図であり、図８は６つの本考案に係る組立て式収納ボックスを組立てた状態を示す斜視図であり、図９は図８の正面図である。
【００１６】
図１ないし図３に示すように、本考案に係る組立て式収納ボックスは、ケーシング(４０)と枠体(５０)を有する、少なくとも１つのボックスユニット(１０)と、複数のカバー板(２０)と、複数の装飾板(３０)とを備える。
【００１７】
該ケーシング(４０)は、複数の側板(４１)と多角形の周壁(４２)とから構成され、開口端(４１１)から縮径端(４１２)へ向かうにつれて内径が徐々に小さくなる中空の多角錐台状を呈し、その内、該複数の側板(４１)はそれぞれ略台形を呈し、収容空間を取り囲むように、２つの斜辺が夫々、隣接する側板(４１)の斜辺と連結されると共に、該各側板(４１)における、ケーシング(４０)の縮径端(４１２)の近傍に少なくとも１つの係合溝(４４)が形成され、また、前記周壁(４２)は、すべての側板(４１)の前端部、すなわちケーシング(４０)の開口端(４１１)から縮径端(４１２)へ向かって延出するように設けられ、夫々側板(４１)と対応する複数の内側面と、夫々内側面と対応すると共に、少なくとも一対の雄固定部（４３Ａ、４３Ｃ）と雌固定部（４３Ｂ、４３Ｄ）が設けられる複数の外側面(４２１)とを有し、更に、前記複数の側板(４１)の内、少なくとも１つの側板(４１)は、傾斜せずに、夫々対応する周壁(４２)の外側面(４２１)と平行する（図４を参照）。
【００１８】
図１に示すように、該枠体(５０)は、中空の多角形を呈すると共に、複数の外側平面(５３)と、夫々１つの側板(４１)に対応する複数の固定面(５１)とを有し、該各外側平面(５３)に少なくとも一対の雄係合部（５４Ａ、５４Ｃ）と雌係合部（５４Ｂ、５４Ｄ）が設けられ、該各固定面(５１)に少なくとも１つの係合ピン(５２)が設けられる。また、前記枠体(５０)は、各固定面(５１)が、対応する側板(４１)に当接し、且つ前記各係合ピン(５２)が側板(４１)の対応する係合溝(４４)に係合するようにケーシング(４０)の縮径端(４１２)に環装されると共に、前記各外側平面(５３)は、周壁(４２)の対応する外側面(４２１)と同一平面上に位置する。
【００１９】
図２及び図６に示すように、カバー板(２０)は、着脱可能にケーシング(４０)に取り付けられると共に、本体(２１)を有し、該本体(２１)の内側面における前端部及び後端部の近傍に夫々少なくとも一対の雄係合部（２２Ａ）と雌係合部（２２Ｂ）が設けられ、該前端部の近傍に設けられる雄係合部（２２Ａ）と雌係合部（２２Ｂ）が夫々前記周壁(４２)の外側面(４２１)における、対応する雌係合部（４３Ｂ）と雄係合部（４３Ａ）に係合され、一方、該後端部の近傍に設けられる雄係合部（２２Ａ）と雌係合部（２２Ｂ）が夫々前記枠体(５０)の外側平面(５３)における、対応する雌係合部（５４Ｂ）と雄係合部（５４Ａ）に係合される。故に、前記カバー板(２０)は、ケーシング(４０)に強固に固定されるので、外側面を床などの平面に安定的に配置することができる。
【００２０】
図１、３及び６に示すように、装飾板(３０)は、着脱可能にケーシング(４０)に取り付けられると共に、基板(３１)を有し、該基板(３１)の内側面における前端部及び後端部の近傍に夫々少なくとも一対の雄係合部（３３Ａ）と雌係合部（３３Ｂ）が設けられ、該前端部の近傍に設けられる雄係合部（３３Ａ）と雌係合部（３３Ｂ）が夫々前記周壁(４２)の外側面(４２１)における、対応する雌係合部（４３Ｄ）と雄係合部（４３Ｃ）に係合され、一方、該後端部の近傍に設けられる雄係合部（３３Ａ）と雌係合部（３３Ｂ）が夫々前記枠体(５０)の外側平面(５３)における、対応する雌係合部（５４Ｄ）と雄係合部（５４Ｃ）に係合される。故に、前記装飾板(３０)をケーシング(４０)に固定させることができ、また、外観のバリエーションを増やすために、前記基板(３１)にケーシング(４０)の色が見えるように複数の穴(３２)が穿設される。
【００２１】
本考案の好ましい実施例においては、前記雌固定部（２２Ｂ、３３Ｂ、４３Ｂ、４３Ｄ、５４Ｂ、５４Ｄ）を凹溝とするのに対し、前記雄固定部（２２Ａ、３３Ａ、４３Ａ、４３Ｃ、５４Ａ、５４Ｃ）を突棒とし、該突棒を凹溝に嵌入することにより、該雄係合部（２２Ａ、３３Ａ、４３Ａ、４３Ｃ、５４Ａ、５４Ｃ）を雌係合部（２２Ｂ、３３Ｂ、４３Ｂ、４３Ｄ、５４Ｂ、５４Ｄ）に強固に係合することができる。
【００２２】
また、本考案の好ましい実施例においては、前記ボックスユニット（１０）におけるケーシング（４０）が、６つの側板（４１）と、６つの外側面（４２１）を有する周壁（４２）とから構成されると共に、前記枠体（５０）が、該６つの側板（４１）に当接する６つの固定面（５１）と、該６つの側板（４１）と対応する６つの外側平面（５３）とを有する。
【００２３】
更に、図１に示すように、本考案の好ましい実施例においては、ケーシング(４０)の強度を向上するために、ケーシング(４０)の内側面に更に、側板(４１)の前端部から後端部に向かって延伸する複数の補強リブ(４５)が突設される。
【００２４】
また、図６及び図７に示すように、本考案の更なる好ましい実施例においては、ボックスユニット(１０)のケーシング(４０)内に、両端がケーシング(４０)に連結する、収納空間を２つに分けるための仕切板(６０)が設けられ、これによって、異なる種類のものを分類整理して分けられた２つの空間内に夫々収納する構成となっている。
【００２５】
図７に示すものは、複数のボックスユニット(１０)により構成された本考案の組立て式収納ボックスの実施例であり、本実施例においては、各ボックスユニット(１０)のケーシング(４０)の周壁(４２)における雄係合部（４３Ａ）と雌係合部（４３Ｂ）が夫々、隣接するボックスユニット(１０)のケーシング(４０)の周壁(４２)における雌係合部（４３Ｂ）と雄係合部（４３Ａ）に係合され、より詳細に説明すると、該各ボックスユニット(１０)のケーシング(４０)の周壁(４２)における雄係合部（４３Ａ）が、隣接するボックスユニット(１０)の周壁(４２)における雌係合部（４３Ｂ）に係合されると共に、該各ボックスユニット(１０)のケーシング(４０)の周壁(４２)における雌係合部（４３Ｂ）が、隣接するボックスユニット(１０)の周壁(４２)における雄係合部（４３Ａ）に係合され、更に、該各ボックスユニット(１０)に取り付けられた枠体(５０)における雄係合部（５４Ａ）と雌固定部（５４Ｂ）についても同様に、夫々隣接するボックスユニット(１０)に取り付けられた枠体(５０)における雌係合部（５４Ｂ）と雄係合部（５４Ａ）に係合される。
【００２６】
更に、上下斜め横方向及び上方へ拡充するように、前記ボックスユニット(１０)における雄係合部（４３Ｃ、５４Ｃ）と雌係合部（４３Ｄ、５４Ｄ）を夫々、更に隣接するボックスユニット(１０)における雌係合部（４３Ｄ、５４Ｄ）と雄係合部（４３Ｃ、５４Ｃ）に係合すれば、図８及び図９に示すような蜂の巣状の収納ボックスを組み立てることができる。
【００２７】
上記の構成によれば、係合ピン(５２)を係合溝(４４)に係合することにより、枠体(５０)をケーシング(４０)に取り付けてボックスユニット(１０)を構成し、更に、該ボックスユニット(１０)における雄係合部（４３Ａ、５４Ａ）と雌係合部（４３Ｂ、５４Ｂ）を他のボックスユニット(１０)における雌係合部（４３Ｂ、５４Ｂ）と雄係合部（４３Ａ、５４Ａ）に係合すれば、需要や好みによって様々なバリエーションのボックスユニット(１０)を作ることができるので、実用性に優れている。
また、前記各ボックスユニット(１０)におけるケーシング(４０)は、多角錐台状を呈するが、該ボックスユニット(１０)に枠体(５０)を取り付けると、該ボックスユニット(１０)における開口端(４１１)と縮径端(４１２)との高さの差が枠体(５０)により埋められ、該枠体(５０)の外側平面(５３)と周壁(４２)の外側面(４２１)とが面一となることから、複数のボックスユニット(１０)を上方に積み重ねても傾くことなく組み立てることができる。
【００２８】
また、前記ケーシング(４０)における複数の側板(４１)の内、周壁(４２)の外側平面(５３)と平行する側板(４１)を、ボックスユニット（１０）の下方に組立てると、該ボックスユニット（１０）を床などの平面に設置する時、該側板(４１)が床などの平面と平行になるので、該側板(４１)内に置いたものがずれ動いたり傾倒したりすることを防止できる。
【００２９】
更に、本考案の収納ボックスにカバー板(２０)または／及び装飾板(３０)を取り付けると、収納ボックスの設置安定性や外観のデザイン性をより一層向上させることができると共に、雄係合部と雌係合部などの、ボックスユニット(１０)同士を連結するための部材も、カバー板(２０)と装飾板(３０)により覆い隠すことができるので、収納ボックスの外観を向上させることができる。
【符号の説明】
【００３０】
１０        ボックスユニット
２０        カバー板
２１        本体
２２Ａ        雄係合部
２２Ｂ        雌係合部
３０        装飾板
３１        基板
３２        穴
３３Ａ        雄係合部
３３Ｂ        雌係合部
４０        ケーシング
４１        側板
４１１        開口端
４１２        縮径端
４２        周壁
４２１        外側面
４３Ａ        雄係合部
４３Ｂ        雌係合部
４３Ｃ        雄係合部
４３Ｄ        雌係合部
４４        係合溝
４５        補強リブ
５０        枠体
５１        固定面
５２        係合ピン
５３        外側平面
５４Ａ        雄係合部
５４Ｂ        雌係合部
５４Ｃ        雄係合部
５４Ｄ        雌係合部
６０        仕切板
【図１】
0003159669.tif 000003
【図２】
0003159669.tif 000004
【図３】
0003159669.tif 000005
【図４】
0003159669.tif 000006
【図５】
0003159669.tif 000007
【図６】
0003159669.tif 000008
【図７】
0003159669.tif 000009
【図８】
0003159669.tif 000010
【図９】
0003159669.tif 000011